Podtech/llm-jp-corpus-v4-ja_patent huggingface dataset:
(57)【要約】【課題】ゴルフパターの表面の目標目印をその日の体調に合わせて、自由に好みの柄に複数変えられる機能を設けたゴルフパター。【解決手段】ゴルフのパター本体部（１）の表面中央部分に、後部に向けて溝（３）を掘り、その中に目印棒（２）を収め、これを一時固定するためのネジ（４）を本体部（１）の後部に設ける。【選択図】図１
2006247305.tif 000002
【特許請求の範囲】
【請求項１】
ゴルフのパター表面中央部分に、後部に向けて溝を掘り、その中に複数の目印を示した棒状なものが、取り外し可能の機能を設けたパター。
【発明の詳細な説明】
【技術分野】
【０００１】本発明はゴルフのパター本体部（１）の表面中央部分に、後部に向けて溝（３）を掘り、その中に複数の目印を示した棒状な目印棒（２）が、取り外し可能の機能を設けたゴルフのパターに関するものである。
【背景技術】
【０００２】従来ゴルフのパター表面の目標に対しての目印は固定された物ばかりであった。【０００３】しかし、その日の体調によっては、見慣れていたパター表面の目印に違和感を覚える時がある。
【発明の開示】
【発明が解決しようとする課題】
【０００４】解決しようとする問題点は、その日の体調に合わせて、複数の目印が示されている棒状の中から、自由に選べて利用できるゴルフのパターにすること。
【課題を解決するための手段】
【０００５】本発明はゴルフのパター本体部（１）の表面中央部分に、後部に向けて溝（３）を掘り、その中に目印棒（２）を収め、これを一時固定するためのネジ（４）を本体部（１）の後部に設ける。
【発明の効果】
【０００６】本発明はこれを利用する時、その日の体調に合わせて、目印棒（２）の表面に描かれている好みの目印柄を、自由に選んで使用することが出来、スムーズなストロークにつながる。
【発明を実施するための最良の形態】
【０００７】本発明を利用する時は、ゴルフのパター本体部（１）の表面中央部分の目印棒（２）に描かれている好みの柄にセットして、ネジ（４）で一時固定し使用する。
【実施例１】
【０００８】ゴルフのパター本体部（１）の表面中央部分に、後部に向けて溝（３）を掘り、その中に目印棒（２）を収め、これを一時固定するためのネジ（４）を本体部（１）の後部に設ける。
【図面の簡単な説明】
【０００９】
【図１】ゴルフのパター斜視図である。
【図２】斜視分解図である。
【符号の説明】
【００１０】  本体部（１）
目印棒（２）
溝（３）
ネジ（４）
【図１】
2006247305.tif 000003
【図２】
2006247305.tif 000004
(57)【要約】【課題】平辺部と異なった４つの角を使って１つで食器や弁当箱の隅のように細かい場所の汚れを拭い落とす台所用ヘラを提供する。【解決手段】弾力性のあるシリコン樹脂からなるヘラ本体の４方に勾配面をつけた４辺を形成し、辺の４つの角に直角部，鋭角部、緩曲面部、小曲面部を形成してなる汚れを拭い落とす台所用ヘラ。【選択図】図１
2006247306.tif 000002
【特許請求の範囲】
【請求項１】
弾力性のあるシリコン樹脂からなるヘラ本体の４方に勾配面を形成し、辺の４つの角に直角部、鋭角部、緩曲面部、小曲面部を形成してなる台所用汚れを拭い落とすヘラ。
【発明の詳細な説明】
【技術分野】
【０００１】  本発明は、平辺部と異なった４つの角を使って１つで食器や弁当箱の隅のように細かい場所の汚れを拭い落とす台所用ヘラに関するものである。
【背景技術】
【０００２】  従来、弾力のあるヘラの上部に持ち手がついている製品があった。
【発明の開示】
【発明が解決しようとする課題】
【０００３】  そのために、次のような問題点があった。
（イ）食器や弁当箱の隅ような細かい場所の汚れを落とすには形状が違うため、１つのヘラを使ってきれいに拭い落とすことができなかった。
本発明は、これらの問題点を解決するためになされたものである。
【課題を解決するための手段】
【０００４】  弾力性のあるシリコン樹脂からなるヘラ本体（１）の４方に勾配面（２）をつけた４辺（３）を形成し，辺（３）の４つの角に直角部（４）、鋭角部（５）、緩曲面部（６），小曲面部（７）を形成する。以上を特徴とする汚れを拭い落とす台所用ヘラである。
【発明の効果】
【０００５】  異なった形状の４つの角を有しているため弁当箱や小さな器など、小さな隅や丸みをおびているところなど容易に対処でき使い勝手がよい。
【発明を実施するための最良の形態】
【０００６】  以下、本発明の実施の形態について説明する。
（イ）弾力性のあるシリコン樹脂からなるヘラ本体（１）の４方に勾配面（２）をつける。
（ロ）辺の４つの角に直角部（４）鋭角部（５）緩曲面部（６）小曲面部（７）を形成する。
本発明は以上のような形であり、これを使用するときは，ヘラ本体（１）の中心部を指先で包み込むようにし辺や角を変えたい時はヘラ本体（１）の中心部を軸にして指先で回転しながら変える事ができる。
【図面の簡単な説明】
【０００７】
【図１】本発明の平面図である。
【図２】本発明の側面図である。
【符号の説明】
【０００８】１  ヘラ本体
２  勾配面部
３  平辺部
４  直角部
５  鋭角部
６  緩曲面部
７  小曲面部
【図１】
2006247306.tif 000003
【図２】
2006247306.tif 000004
(57)【要約】【課題】  本発明は、バッグ本体とストラップの接合を、テープで、バッグ上部、横部、下部にループ部を通り可変できるように工夫したことを特徴とするストラップの接合部付きバッグを提供する。【解決手段】  ストラップの接合部付きバッグで、バッグにループ状のテープ（２）を設け、横部から上部へテープ（１）がループ状のテープ（２）を通り、横部、上部どちらでもストラップを接合したことを特徴とする。【選択図】  図１
2006247338.tif 000002
【特許請求の範囲】
【請求項１】
ストラップの接合部付きバッグで、バッグにループ状のテープ（２）を設け、横部から上部へテープ（１）がループ状のテープ（２）を通り、横部、上部、下部のどちらでもストラップを接合したことを特徴としたストラップの接合部付きバッグ。
【発明の詳細な説明】
【技術分野】
【０００１】  本発明は、ストラップの接合部付きバッグで、テープを、バッグの上部、横部、下部のループ状のテープを通り、テープを可変できるように工夫したことを特徴とするストラップの接合部付きバッグに関するものである。
【背景技術】
【０００２】  従来、バッグの本体とストラップの接合は、１ヵ所に縫い、たとえば、金具等で接合されているのが一般的で、身体の前後に固定したものは、左用右用の固定されたバッグとなっていた。
【発明の開示】
【発明が解決しようとする課題】
【０００３】  それには、次のような問題点があった。
固定されたバッグ本体とストラップは、左用、右用、背中（ディパック）となって、使用する本人の好みに合わせた使用が不可能であった。
【課題を解決するための手段】
【０００４】  ストラップの接合部付きバッグで、バッグにループ状のテープ（２）を設け、横部から上部、下部へテープ（１）がループ状のテープ（２）を通り、横部、上部（下部）どちらでもストラップを接合する。
以上を特徴とするストラップの接合部付きバッグである。
【発明の効果】
【０００５】  本発明は、左利き、右利き、使い勝手の良い状態でバッグ本体を、左肩、右肩、両肩でストラップを自由に取り付け、対応が可能である。
また、ウエスト用ベルトで、ヒップバッグとなる。
【発明を実施するための最良の形態】
【０００６】  以下、本発明の実施の形態について説明する。
ストラップの接合部付きバッグで、バッグにループ状のテープ（２）を設ける。
横部から上部、下部へテープ（１）がループ状のテープ（２）を通り、横部、上部（下部）どちらでもストラップ（３）、ストラップ（４）、ストラップ（５）、ストラップ（６）のどれかを接合する。
本発明は以上のような構造でこれを使用するときは、テープ（１）がループ状のテープ（２）を通り、横部、上部、下部へテープが自由に移動してストラップを取り付けられる。
図１は、本発明のバッグ本体の正面図で、バッグ本体の側面にループ（１）とループ状のテープ（２）を設けたものである。
図２は、本発明のバッグ本体の斜視図で、ファスナーポケット（２０）とファスナーポケット（２２）を設けたものである。
ある。
図１は、本発明のバッグ本体（１）の正面図である。
図２は、本発明のバッグ本体（１）の斜視図である。
図３は、本発明のストラップ（３）の斜視図である。
図４は、本発明のストラップ（４）の斜視図である。
図５は、本発明のストラップ（５）の斜視図である。
図６は、本発明の説明図で右肩１本ストラップ（４）を付けたものである。
図７は、本発明の説明図で左肩１本ストラップ（４）を付けたものである。
図８は、本発明の説明図で両肩ストラップ（５）を付けたものである。
図９は、本発明の説明図で片肩２本ストラップ（５）を付けたものである。
図１０は、本発明の説明図でウエストベルト（６）を付けたものである。
図１１は、本発明のウエストベルト（６）の説明図である。
図１２は、本発明の説明図でループ（７）、ループ着脱具（８）を付けたストラップである。
図１３は、本発明の説明図で、ループ（９）、ループ着脱具（１０）、長さ調節具（１１）、リング（１２）、ミシンステッチ（１３）を付けたストラップである。
図１４は、本発明の説明図で、リング（１２）、ストラップを図１２のように反転させ、リングに通す（１４）、長さ調節ループ（１５）を付けたストラップである。
図１５は、本発明の説明図で、ウエストベルト着脱具（１６）、ミシンステッチ（１７）、ループ着脱具（１８）、ループ（１９）を付けたストラップである。
【図面の簡単な説明】
【０００７】
【図１】  本発明のバッグ本体の正面図である。
【図２】  本発明のバッグ本体の斜視図である。
【図３】  本発明のストラップ３の斜視図である。
【図４】  本発明のストラップ４の斜視図である。
【図５】  本発明のストラップ５の斜視図である。
【図６】  本発明の左肩１本ストラップの説明図である。
【図７】  本発明の右肩１本ストラップの説明図である。
【図８】  本発明の両肩ストラップの説明図である。
【図９】  本発明の片肩２本ストラップの説明図である。
【図１０】  本発明のウエストベルトの説明図である。
【図１１】  本発明のウエストベルトの斜視図である。
【図１２】  本発明のストラップ３の部品の説明図である。
【図１３】  本発明のストラップ４の部品の説明図である。
【図１４】  本発明のストラップ３とストラップ４の取付けた状態の説明図である。
【図１５】  本発明のウエストベルト６の部品の説明図である。
【符号の説明】
【０００８】  １    テープ
２    ループ状のテープ
３    ストラップ
４    ストラップ
５    ストラップ  ４の中央リングに３を通す
６    ウエストベルト
７    ループ
８    ループ着脱具
９    ループ
１０  ループ着脱具
１１  長さ調節具
１２  リング
１３  ミシンステッチ
１４  ストラップを反転させリングに直す
１５  長さ調節ループ
１６  ウエストベルト着脱具
１７  ミシンステッチ
１８  ループ着脱具
１９  ループ
２０  ファスナーポケット
２１  フラップポケット
２２  ファスナーポケット
【図１】
2006247338.tif 000003
【図２】
2006247338.tif 000004
【図３】
2006247338.tif 000005
【図４】
2006247338.tif 000006
【図５】
2006247338.tif 000007
【図６】
2006247338.tif 000008
【図７】
2006247338.tif 000009
【図８】
2006247338.tif 000010
【図９】
2006247338.tif 000011
【図１０】
2006247338.tif 000012
【図１１】
2006247338.tif 000013
【図１２】
2006247338.tif 000014
【図１３】
2006247338.tif 000015
【図１４】
2006247338.tif 000016
【図１５】
2006247338.tif 000017
(57)【要約】      （修正有）【課題】外反母趾初期のチリチリした痛みから解放する又、長期間の外反母趾で痛くはないが曲がってしまった親指を少しでも矯正する為の、器具を得ること。【解決手段】内側に曲がって擦れて痛かった指関節部関節に対し、管状パイプ１及紐７が付設されたくの字型に曲がったレバー２を用い、外反母趾の指に管状パイプ１を差し込み、レバー２を足に紐７でくくり付け、レバー支点１２により外反母趾になった指を反対側に反らせて矯正する。【選択図】図３
2006247335.tif 000002
【特許請求の範囲】
【請求項１】
管状パイプに、くの字型に曲がったレバーのついたものがあります。外反母趾の指にパイプを差込みます。レバーを足にくくり付けることにより、外反母趾になった指を反対側に反らせて矯正するものです。
【発明の詳細な説明】
【技術分野】
【０００１】本発明は、外反母趾の矯正器具に関するものである。
【背景技術】
【０００２】従来の治療方法としては、テーピングをする、手術をする、などありましたがテーピングは今ひとつ矯正する力が弱い、手術は後で踏ん張りがきかないなどの難点がありました。
【発明の開示】
【発明が解決しようとする課題】
【０００３】外反母趾のほとんどは、先の細いハイヒールを履いて、親指が内側に曲がった状態で爪先に体重がかかることで発症します。曲がった中足骨、指骨の関節は内側のほうが圧迫され擦れた状態で痛みを感じます。この痛みと変形を治すことが急務です。
【課題を解決するための手段】
【０００４】反りのついたレバーの折れ曲がったところを支点にして、てこの原理で内側に曲がった親指を外側に反らしてあげます。
【発明の効果】
【０００５】早期のうちでしたら、チリチリした痛みは１日、２日で解消します。痛くはないが完全に変形して固まってしまった外反母趾も、徐々に治ります。
【発明を実施するための最良の形態】
【０００６】以下、本発明の実施の形態を図１〜図３に基づいて説明する。【０００７】図３で外反母趾の親指６に管状パイプ１を通して、レバー２を足３に紐７で結び付けます。図２で内側に矢印角度１１傾き間隙のない関節９は、図３でレバー２を足３に結びつけることにより折れ曲がった部分１２が支点になり、外反母趾の親指は外側に矢印角度１０反り、中足骨５、指骨４の関節は８のように間隙が出来る。就寝中装着したままでいることにより、頑固な外反母趾も徐々に治ります。
【図面の簡単な説明】
【０００８】
【図１】  外反母趾矯正器具の本体です。
【図２】  軽度の外反母趾の状態を示します。
【図３】  足に外反母趾矯正器具を装着した状態を示します。
【符号の説明】
【０００９】  １    管状パイプ
２    レバー
３    足
４    指骨
５    中足骨
６    外反母趾になった親指
７    紐
８    矯正されて間隙の出来た関節
９    圧迫されて間隙のない関節
１０  矯正後矢印の分だけ外側に開いております。
１１  矢印の分だけ内側に入っております。
１２  レバーの支点
【図１】
2006247335.tif 000003
【図２】
2006247335.tif 000004
【図３】
2006247335.tif 000005
(57)【要約】【課題】身体の一部や片側のみへかかっていた圧力分散、安定感、単純なサイズ調整と使用方法を兼ね備えた乳幼児の向きが内外二方向で使用可能な子守帯を提供する。【解決手段】肩への圧力を分散すると同時に乳幼児の向きが内外どちらでも安定感を伴った使用を可能にする伸縮布地製幅広の二本の帯（１）をそれぞれ取り扱いが単純である二重リング（２）に通し留め二つの輪を作り被るようにして装着することができる。【選択図】  図１
2006247331.tif 000002
【特許請求の範囲】
【請求項１】
（１）二重リング留具により幅広いサイズ調整と単純な装着方法の装着者及び乳児の身体への食い込みと装着者の肩の外側への脱落が少ない（２）帯幅３０ｃｍ以上の（３）伸縮生地製の乳幼児が内外二方向で使用可能な抱っこ用子守帯
【発明の詳細な説明】
【技術分野】  この発明は、使用時の身体への圧力の分散と装着及びサイズ調整を単純化した乳幼児が内外二方向に向き使用可能な安定感の高い抱っこ用子守帯に関するものである。
【背景技術】
【０００１】  従来の子守帯で乳幼児を二つ以上の位置や方向にすることが可能なものは使用方法が複雑である場合や肩や腰など身体の一部や片側のみへの強い圧迫感があり、また単純な作りと使用方法のものは不安定さや肩や腰など身体の一部への強い圧迫感があり、さらに使用時の不快感が軽減されたものは使用方法が複雑であるという問題がそれぞれにあった。
【発明の開示】
【発明が解決しようとする課題】
【０００２】  適応サイズの幅の少なさ、乳幼児を抱く際に使用者の肩や腰にかかる圧迫感、肩や腰などへの圧迫感が少ない子守帯の場合は取り扱いの不便さや不安定さ、また安定感のある子守帯の場合は使用方法の複雑さという欠点があった。そのために（イ）抱っこの際乳幼児の上げ下ろしに時間と手間がかかる煩わしさや身体の一部や片側のみへの著しい圧迫感による苦痛や不安定さによる不安感がありこどもを抱く機会を減らさざるをえなかった。また、（ロ）両親が共用する際サイズの不一致や調整の煩わしさがあった。
本発明は、これらの欠点を解決し使用感、安定感が改善された子守帯で親子のスキンシップの機会を増やすためになされたものである。
【課題を解決するための手段】
【０００３】  本体部分は二つの帯状の幅広伸縮生地を素材とし、サイズ調整可能式留具に二重リングを使用する。
本発明は、以上の構成からなる二重リング留め伸縮幅広子守帯である。
【発明の効果】
【０００４】
【０００５】  幅広伸縮素材の帯を両肩で支えることにより肩などへの圧迫感が分散され苦痛が軽減されることとともに二つの帯をクロスさせて使用するため安定感があり、乳幼児を内向き・外向きなど複数の方法で使用が可能。また二重リングに二つの帯の端を通し適当なサイズまで帯の端を引くという単純な方法で装着とサイズ調整ができる。
【発明を実施するための最良の形態】以下、本発明の実施形態について説明する。
【実施例】
【０００６】  二つの（１）帯状幅広伸縮布の一端に（２）二重リングを縫着する。
本発明は以上のような構造でこれを使用するときには、（２）二重リングにそれぞれの（１）帯の端を通し二つの輪になった帯を（２）背中に二重リング、身体の前に帯の交差部分を置き大人が左右それぞれの腕と頭を交差の左右に挿通させ両肩から斜め掛けした状態を作り、子供は大人と向かい合った内向きかその反対の外向きかどちらかの向きで帯の交差部分に腰掛けるようにし、両脇の大人が腕を通している部分に両足両手の順でそれぞれ挿通させた後子供の身体が包み込まれるように帯の交差部分の帯幅を広げることにより使用者の身体への圧迫感や食い込みの軽減と安定感を実現させる。
【産業上の利用可能性】
【０００７】
【図面の簡単な説明】
【０００８】
【図１】装着時の状態を示した図である。
【図２】未装着での状態を示した平面図である。
【符号の説明】
【０００９】１  幅広伸縮布製帯本体部
２  二重リング帯留具
【図１】
2006247331.tif 000003
【図２】
2006247331.tif 000004
(57)【要約】【課題】  本発明は、浴槽内で身体を温めてから徐々に、その痛みの度合いに応じて左右の腕を上下方向に動かすことによって筋肉を解し、痛みを和らげることができ、さらに、入浴の支障になることなく設置される浴槽用健康器具を提供するものである。【解決手段】  この発明に係る浴槽用健康器具は、浴槽の上方側に形成される天井、壁等に取り付けられる固定支持具１と、この固定支持具１に摺動可能に吊持され、その両側終端に把持部３を形成する吊下索２とよりなり、浴槽４内で把持部３を掴んで前記吊下索２を上下方向に摺動して腕をストレッチさせることを特徴とするものである。【選択図】      図１
2006247337.tif 000002
【特許請求の範囲】
【請求項１】
浴槽の上方側に形成される天井、壁等に取り付けられる固定支持具と、この固定支持具に摺動可能に吊持され、その両側終端に把持部を形成する吊下索とよりなり、浴槽内で把持部を掴んで前記吊下策を上下方向に摺動して腕をストレッチさせることを特徴とする浴槽用健康器具。
【発明の詳細な説明】
【技術分野】
【０００１】  本発明は、肩の痛み、筋肉痛、あるいは血行不良等をかかえる身体を浴槽で暖めながらストレッチする浴槽用健康器具に関する。
【背景技術】
【０００２】  従来、浴槽内で据わったまま身体を温めながら、ぶら下がることにより、腰痛や肩こり又背骨の矯正等の効果が期待できる着脱式浴室用身体矯正具がある（例えば、特許文献１参照。）。【０００３】  この着脱式浴室用身体矯正具は、四分割で構成されたステンレスパイプに二本のパイプを差し込み、ボルトとナットで固定し、又この二本のパイプの上部に別のパイプを差し込み、ボルトとナットで固定して、組み立て浴槽内に設置して使用するものである。【０００４】
【特許文献１】特開２０００−２０１９９３号公報
【発明の開示】
【発明が解決しようとする課題】
【０００５】    しかしながら、この種の従来の着脱式浴室用身体矯正具は、浴槽内でぶら下がることを目的とするため、分割式の器具をその都度設置しなければならず、又、そのままセッティングしておくと、入浴の邪魔になった。また、浴槽内でぶら下がりによって矯正するため、全体重が負荷されて、その痛みの異なる肩痛や筋肉痛には適さなかった。【０００６】  本発明の目的は、浴槽内で身体を温めてから徐々に、その痛みの度合いに応じて左右の腕を上下方向に動かすことによって筋肉を解し、痛みを和らげることができ、さらに、入浴の支障になることなく設置される浴槽用健康器具を提供するものである。
【課題を解決するための手段】
【０００７】  上記目的を達成するため、本発明に係る浴槽用健康器具は、浴槽の上方側に形成される天井、壁等に取り付けられる固定支持具と、この固定支持具に摺動可能に吊持され、その両側終端に把持部を形成する吊下索とよりなり、浴槽内で把持部を掴んで前記吊下策を上下方向に摺動して腕をストレッチさせることを特徴とするものである。
【発明の効果】
【０００８】  上記の構成を有する本発明に係る浴槽用健康器具によれば、入浴時、浴槽内で身体を暖めてから、楽な姿勢で、一方両手で掴んだ把持部の一方を引き寄せることにより、吊下策が摺動して他方の把持部を掴んだ腕が上方向に引き上げられ、これを交互に繰り返すことにより、体重を負荷させるぶら下がり状態とは異なり、自己の身体の状態に合わせて無理なく、腕のストレッチ運動によって、温まった筋肉が解されて肩痛や筋肉痛等の痛みを軽減させ、血行をよくして良好な健康状態を増進することができる。【０００９】  さらに、浴槽の上方にある浴室の天井や壁を利用して、取り付けられた固定支持具に、適宜長さのロープ等のを吊下策を上下方向に摺動可能に支持してなるもので、部品点数が少なく簡単な構造を採用して、不使用時には折りたたんでフック等に掛けることにより入浴の邪魔にならず、しかも使用する際には手軽に浴槽内での操作が可能にセットされることができる。
【発明を実施するための最良の手段】
【００１０】  図１は、本発明に係る浴槽用健康器具を示す略示図であり、図２は、使用状態を示す略示図で、（イ）は、両手で吊下策を掴んだ状態を、又（ロ）は、腕を動かした状態を示すものである。
【００１１】  本発明に係る浴槽用健康器具は、図１に示すように、浴槽４の上方側に形成される浴室の天井、壁等の建物基部５に取り付けられる固定支持具１と、この固定支持具１に摺動可能に吊持され、その両側終端に把持部３を形成する吊下索２とより構成されている。
【００１２】  前記固定支持具１は、浴室の天井、壁等の建物基部５にビス等の止着子により固着される固定板６にフック７を介してステンレス製あるいはプラスチック製の滑車８を有し、この滑車８に吊下索２を挿通して摺動可能に支持しているものである。
【００１３】  なお、この固定支持具１は、図示した固定板と滑車に限らず、例えば、適宜長さのステンレス製のパイプを適宜位置で浴室内の壁の両側に渡し込んで固定したり、チャンネル状の係止杆を壁に固着したり、あるいは吸盤を天井に吸着したりして吊下索２を卷回支持してなるものでもよく、必要とする強度が保たれて吊下策２を摺動可能に支持するものであればよい。
【００１４】  吊下索２は、主としてプラスチック製のロープ類が使用され、その両側の終端は折り返してリング状の把持部３が形成され、係止環９に吊下索２の長さを調節されるようになっている。
【００１５】  この把持部３もその終端を折り返して、係止環９でリング状に形成する以外握り杆等のものを別途取り付け、吊下索２の中間部分で、その長さを調節するものであってもよい（図示せず）。
【００１６】  使用に際しては、図２（イ）に示すように、浴槽４に入って十分暖まった状態で、吊り下げられている吊下索２の両端の把持部３、３を両手で掴む。
【００１７】  次に、一方の手で握った把持部３を徐々に下に引いて他方の手で握っている把持部３を介して腕を引き上げ、次に引き上げられた腕の手で把持部３をゆっくりと引き下げて、一方の下っている腕を引き上げるものである。
【００１８】  これを繰り返すことにより、自己の身体の状態に合わせて無理なく、腕のストレッチ運動によって、温まった筋肉が解されて肩痛や筋肉痛等の痛みを軽減させ、血行をよくして良好な健康状態を増進される。
【図面の簡単な説明】
【００１９】
【図１】  本発明に係る浴槽用健康器具を示す略示図である。
【図２】  使用状態を示す略示図で、（イ）は、両手で吊下策を掴んだ状態を、又（ロ）は、腕を動かした状態を示すものである。
【符号の説明】
【００２０】      １        固定支持具
２        吊下索
３        把持部
４        浴槽
５        固定部
６        固定板
７        フック
８        滑車
９        係止環
【図１】
2006247337.tif 000003
【図２】
2006247337.tif 000004
(57)【要約】【課題】外出先で洋式トイレを使用する場合、備え付けの紙カバーを使ったり、ない場合はトイレットペーパーで代用していた。従来の紙カバーは、急いでいるとき多少時間がかかり使用するのが煩わしかったり設置してから動いたりして、いつでもちょうど良い場所へ設置できない不安があった。【解決手段】本カバーを使用することにより、素早く確実に便座の上に紙カバーを設置する事が可能になる。また、紙カバーが動く不安感もなくなるので、外出先でも洋式トイレが抵抗なく利用できる。【選択図】図１
2006247339.tif 000002
【特許請求の範囲】
【請求項１】
洋式トイレ使用時に、便座紙カバーを素早く便座に沿って設置できるよう、開いて置くだけで使えることを特徴とする水洗トイレに流せる便座紙カバー。
【請求項２】
便座カバーを便座の上へ設置する時、便座の上でカバーが動くのをおさえ、安定させるための切込みを作ったことを特徴とする水洗トイレに流せる便座紙カバー。
【請求項３】
大便時に便座紙カバーを利用する際、紙カバーが動き大便がカバーに付着する不安をなくする為、奥部分を除いたことを特徴とする水洗トイレに流せる便座紙カバー。
【発明の詳細な説明】
【技術分野】
【０００１】この発明は、トイレに流せる便座紙カバーに関する。
【背景技術】
【０００２】従来の便座紙カバーは、紙の中央部分を切り取って便座の上に置き便座全体を被う物だった。
【発明の開示】
【発明が解決しようとする課題】
【０００３】従来の便座紙カバーは、中央を切り取って設置する時多少時間がかかり、急ぐときには煩わしかった。又、便座の上で紙カバーが動きやすく、大便時にカバーの後方部分などに便が付着する不安を抱かせていた。手前の部分が広いため、下着を下げたり座る時にカバーに触り、カバーが動き不安定だった。また、便座紙カバーを常備しているトイレも少なく、ない時にはトイレットペーパーで代用していたが、適当な形に作って便座の上へ安定させることが難しかった。この発明は、急いでいる時でも素早く便座カバーを設置でき便座の上で安定させることと、いつも不安なく使えることを課題とした。
【課題を解決するための手段】
【０００４】以上の課題を解決するために、第一発明は便座の上に便座紙カバーを設置する時、急いでいても半分に折ってある紙カバーを開いて便座の上に置くだけで使えることを特徴とする。第二発明は従来の便座紙カバーは紙全体が大きく、下着やズボンを下げる時などに紙に触り動きやすく、ちょうど良い位置で設置することが難しかった。そこで、便座の上で安定した位置や形で置けるよう、切込みを作ったことを特徴とする。この切り込みは便座に設置した時、両端の細い部分が便座の外に垂れ下がり、触ることでの動きや、内側へ傾いている便座の中へ向かってカバーが動くのを止める。手前の、動きの原因となる部分も取り除いた。第三発明は大便時に便座紙カバーを利用する際に、下着を下げる時などに触ることで紙カバーが動き、後ろに来る部分などに便が付着するのではないかとか、良い位置へ設置できるかどうかという不安を除くため、肌が便座に触れないところでもあるので、後ろにくる部分を取り除いた。
【発明の効果】
【０００５】これらの発明により、外出先で洋式トイレを使用する際、便座紙カバーを清潔で不安なく素早く設置利用できることを可能にした。また、外出時に持参すれば、紙カバーを設置していないトイレでも、清潔に気持ち良く洋式トイレを利用できる。
【発明を実施するための最良の形態】
【０００６】この発明の一実施形態を図１に示す。
図１で示すように、便座の上に本紙カバー１を設置したものである。１の両端に２の切り込みを作って出来た３の部分が便座の外に垂れ下がることにより、内側へ傾いている便座の中へ１が寄っていくのを防ぎ動きにくくなるので便座の上で安定する。図２は未使用時の本紙カバーである。図３は使用前の収納時の、４で半分に折り更に５で半分に折った本紙カバーの形である。この形で複数枚ケースに収納することができる。その時４を上にしてその部分を引き出すことにより、紙カバーが４で半分に折った形で出てくる。それを開いて便座の上へ置くだけで使用できる。
【図面の簡単な説明】
【０００７】
【図１】便座の上に本カバーを設置したときの実施形態を示した図である。
【図２】本カバーの全体図である。
【図３】使用前の収納時の本紙カバーの形である。
【図１】
2006247339.tif 000003
【図２】
2006247339.tif 000004
【図３】
2006247339.tif 000005
(57)【要約】      （修正有）【課題】接続部を把持することなく、固形経腸栄養剤を長期保管できる固形経腸栄養剤の容器を提供する。【解決手段】真空保存容器本体１に胃瘻カテーテル接続用の注入棒２を設ける。注入棒２と本体１の接合部３にクリップ５を設ける。これにより、接続部を手で把持する必要がなく、両手で本体1に圧力をかけることが可能になるため、手にかかる負担が減少する。【選択図】図１
2006247340.tif 000002
【特許請求の範囲】
【請求項１】
真空保存容器に胃瘻カテーテルチューブに直接繋ぐことができる注入棒を設けたことを特徴とする固形経腸栄養剤注入容器
【請求項２】
注入棒と容器本体の接合部に、外れ止めクリップを設けたことを特徴とする固形経腸栄養剤注入容器
【発明の詳細な説明】
【発明分野】
【０００１】  この発明は、固形の経腸栄養剤の注入に用いる容器の形状に関する。
【技術背景】
【０００２】    従来の固形経腸栄養剤の注入に用いる容器は、シリンジまたはカテーテルチップであり、カテーテルの吸入口に嵌め込んで注入するものである。
【発明の開示】
【発明が解決しようとする課題】
【０００３】  しかしながら、以上の技術によれば、注入時に接続部を把持しなければ外れてしまうため、固形の経腸栄養剤をポンプで注入するには、片手でポンプを押すことになり、負担が大きく注入しにくかった。また、製造した固形経腸栄養剤を、シリンジの中では長期保存ができず、さらにシリンジに移し変える作業も手間がかかった。そこで、この発明は、接続部を把持することなく、固形経腸栄養剤を長期保管できる固形経腸栄養剤の容器を提供することを課題とする。
【発明を解決するための手段】
【０００４】    以上の課題を解決するために、第一の発明は、真空保存容器に胃瘻カテーテル接続用の注入口を設けたことを特徴とする固形経腸栄養剤注入容器である。また、第二の発明は、容器に接続部との外れ止めを設けたことを特徴とする固形経腸栄養剤注入容器である。
【発明の効果】
【０００５】    第一の発明によれば、真空保存容器に胃瘻カテーテルに接続用注入口を設けたことで、製造した固形経腸栄養剤をシリンジまたはカテーテルチップに移し変える作業の手間がかからず、また、そのままの状態で長期間の保存ができる。
第二の発明によれば、容器に接続部に外れ止めクリップを設けたことで、接続部を把持する必要がなくなり、両手で容器に圧力をかけることができるようになり、手にかかる負担を減少させ、固形経腸栄養剤を注入することができる。
【発明を実施するための最良の形態】
【０００６】    この発明の一実施形態を、図１に示す。
容器本体１は真空パック保存可能な容器であり、この本体１の上部に設けられた孔から、ストロー状でプラスチック製の注入棒２が挿入され、接合部３で接合されている。注入棒２の先端部４は、胃瘻カテーテル吸入口に接続される。注入棒２と本体１の接合部３に、クリップ５が設けられている。また先端部４を覆う蓋６が設けられている。【０００７】  「実施形態の効果」
この実施形態によれば、本体１から固形経腸栄養が、注入部２を通過して胃瘻カテーテルに移動し、直接胃内に注入される。したがって、製造した固形経腸栄養剤をシリンジまたはカテーテルチップに移し変える作業の必要がない。本体１は真空容器になっているため、製造後の長期保存が可能になる。また、クリップ６がカテーテルとの接続部を挟み込み固定されるため、接続部を手で把持する必要がなく、両手で本体１に圧力をかけることが可能になるため、手にかかる負担が減少する。
【図面の簡単な説明】
【０００８】
【図１】この発明の一実施形態を示す斜視図である。
【符号の説明】
【０００９】  １  容器本体  ２  注入棒  ３  接合部  ４  先端部  ５  クリップ  ６  蓋
【図１】
2006247340.tif 000003
(57)【要約】【課題】  女性、初心者のカイロプラクターでも容易に、間違いなく頚椎の治療を行える器具を得ること。【解決手段】  右方廻旋したＮＯ，４頸椎の、矯正ポイントである頚椎の左側に接触したままでウエイトをストッパーに突き当て矯正が出来る。仰向けになった状態で後方より瞬間的に矯正できるので頚椎がぐらつく心配もありません。又指向性がありますので矯正の方向性も間違いありません。【選択図】図３
2006247336.tif 000002
【特許請求の範囲】
【請求項１】
ウエイトを急に止めたときの、反動の応力を利用して頸椎の矯正を行うものです。
【請求項２】
レバーは、人差し指、中指を引っ掛けて器具の接触部を矯正部位に押し当てる、皮膚の遊びをとる、などの役目があります。
【発明の詳細な説明】
【技術分野】
【０００１】  本発明は、頚椎の矯正器具に関するものである。
【背景技術】
【０００２】  カイロプラクティックで頸椎の矯正をするには、指先、あるいは示指接触（人差し指の中手骨、指骨の関節部分です）など使いますが、矯正には瞬間的な速さと、指向性が必要で難しいテクニックです。又頸椎そのものがぐらついて固定しにくく女性、初心者には無理が伴います。
【発明の開示】
【発明が解決しようとする課題】
【０００３】  頚椎の矯正に関しては、狙ったポイントに狙った指向性と瞬間的な矯正の力を与えたい。
【課題を解決するための手段】
【０００４】  直線の棒に沿ってウエイトをスライドさせストッパーで急に止めたときに、ウエイトの質量は直線の棒の線上にベクトルを再現する。頚椎の矯正しようとする部位に棒の先端を当て、ウエイトをストッパーに突き当てたとき，頚椎に直線的に矯正する為の応力がはたらきます。【０００５】  レバーに人差し指、中指を引っ掛けて接触部を矯正部位に押し当てる、皮膚の遊びをとる、ことにより矯正がし易くなります。
【発明の効果】
【０００６】  ベテラン、女性、初心者でも容易に頸椎の矯正ができます。
【発明を実施するための最良の形態。】
【０００７】  図３のように患者さんは仰向けの姿勢でドクターの右膝の上に頭部を置きます。ドクターは後方より図１の頸椎矯正器具を図２の如く右方に廻旋した頸椎７の左側に接触部分１を接触します。左手の人差し指と中指の上にレバー２を置き患部と接触部分１との間隙をなくすように、皮膚の遊びをなくすようにレバー２を押し当てます。右手でウエイト５を軽く持ち直線の棒状軸体４上をスライドさせストッパー３に突き当てます。ウエイトのベクトルは接触部１を押し上げ廻旋した頸椎７を矯正します。
【図面の簡単な説明】
【０００８】
【図１】  頸椎矯正器具本体です。
【図２】  患部への接触状況を示します。
【図３】  治療方法を示します。
【符号の説明】
【０００９】  １  接触部分
２  レバー
３  ストッパー
４  棒状軸体
５  ウエイト
６  外れ防止プレート
７  ＮＯ，４頸椎右方廻旋の図
【図１】
2006247336.tif 000003
【図２】
2006247336.tif 000004
【図３】
2006247336.tif 000005
(57)【要約】【課題】本発明は、雨傘の滴からクリップ付きマントを付ける事により、服、着物帯カバン（ランドセル）を守る事を提供する。【解決手段】雨傘本体〔図１〕▲１▼の骨部分（詳細図５）に、マント固定用クリップ▲３▼を設置したマント〔図２〕▲２▼を取付け〔図３〕のようにして使う。【選択図】図２
2006247313.tif 000002
【特許請求の範囲】
【請求項１】
マントに等間隔に脱着式マント固定用クリップを設け、傘の骨に固定用クリップでマントを取付け雨のしずくを防ぐマント
【請求項２】
請求項１の傘の骨に付ける脱着式マント固定用クリップとマントの間に脱着式中間クリップを設け、脱着式マント固定用クリップを傘の骨に付けたまま脱着式中間クリップを脱着することによりマントを外せる、雨のしずくを防ぐマントである。
【発明の詳細な説明】
【技術分野】
【０００１】この発明は、雨傘本体〔図１〕に脱着式マント固定用クリップ〔図７〕▲３▼付きマント〔図２〕を付けた雨傘用マント〔図２〕に関するものである。
【背景技術】
【０００２】従来雨傘とは、傘本体〔図１〕▲１▼だけの単体であった。
【発明の開示】
【発明が解決しようとする課題】
【０００３】これは次のような欠点があった。
（イ）傘後ろ側の滴が服、着物帯、カバン（ランドセル）にたれ濡れた。
本発明は、この欠点を除くためになされたものである。
【課題を解決する為の手段】
【０００４】雨傘本体〔図１〕▲１▼の骨部分（詳細図５）に、脱着式マント固定用クリップ▲３▼を設置したマント〔図２〕▲２▼を取付け〔図３〕のようにして使う。
以上の構成によりなる、マント付き雨傘である。
【発明を実施するための最良の形態】
【０００５】以下、本発明の実施の形態について説明する。
傘本体の骨〔図５〕▲６▼に、脱着式マント固定用クリップ▲３▼を均一に付けたマント〔図２〕を取付け〔図３〕のようにして使用する。
また、使用前後は〔図８〕のように、裏返し、たたんでおける。
この事から、雨の日、忘れて使えないということは、少なくなる
また、いちいち取外す必要はない。
外したい時も、脱着式中間クリップ▲４▼が引っ張ってはずせるので簡単である。
マントは傘骨を動くので、傘の大きさに関係なく取付けられる。
【発明の効果】
【０００６】１．傘本体〔図１〕に取り付けたマント〔図２〕が服、着物帯、カバン（ランドセル）を被う事により滴がかかることなくマントの下に落ちる。
２．マントは〔図３〕のような形で半面しか使用していないので左右が死角になることはない。
３．装着は脱着式マント固定用クリップ〔図７〕▲３▼で簡単である。
４．脱着式中間クリップ〔図５〕▲４▼も引っ張れば〔図６〕のように外れ、差し込めば取付く。
５．使用前後、マントを裏返し被い内側備え付けの傘とめ〔図８〕▲５▼で、傘と一緒に固定できる。
６．マントは一定以上の力で引っ張られると中間部分▲４▼が〔図６〕の様に外れ巻き込まれたりした時、安全である。
７．日干しにする際、脱着式中間クリップ▲４▼から外し、乾かせばよい。
８．雨傘と常に一緒で邪魔にならないし、いざというとき忘れる事もない。
９．脱着式マント用クリップ▲３▼を〔図５〕の様に骨組み▲６▼に取付るので、一般の雨傘になら取付けられる。
（大きい傘の時は骨組みの途中で固定されるが、性能に変わりはない。）
【図面の簡単な説明】
【０００６】
【図１】従来の傘
【図２】本発明の側面図（内側）
【図３】傘装着時
【図４】本発明の使用時斜視図
【図５】脱着式マント固定用クリップ接続部詳細
【図６】脱着式中間クリップ詳細
【図７】脱着式マント固定用クリップ詳細
【図８】傘使用前後の形態図
【符号の説明】
【０００７】▲１▼傘
▲２▼マント
▲３▼脱着式マント固定用クリップ
▲４▼脱着式中間クリップ
▲５▼傘とめ
▲６▼傘骨
【図１】
2006247313.tif 000003
【図２】
2006247313.tif 000004
【図３】
2006247313.tif 000005
【図４】
2006247313.tif 000006
【図５】
2006247313.tif 000007
【図６】
2006247313.tif 000008
【図７】
2006247313.tif 000009
【図８】
2006247313.tif 000010
(57)【要約】【課題】グリーン上でのパッティング時、目標ラインに対してゴルフのパターのセンター線を真上から見た時、線が一直線に見える位置が垂直であり、正確に目標ラインを出すことが容易になる。【解決手段】ゴルフのパター表面（１）に、スイートスポットのセンター線（２）上に凹（３）を設け、その底にセンター線（２）に沿って線（４）を引く。【選択図】図１
2006247320.tif 000002
【特許請求の範囲】
【請求項１】
ゴルフのパター表面（１）に、スイートスポットのセンター線（２）上に凹（３）を設け、その底にセンター線（２）に沿って線（４）を引いた目の位置垂直確認器具付ゴルフのパター。
【発明の詳細な説明】
【技術分野】
【０００１】本発明はゴルフのパター表面（１）に、スイートスポットのセンター線（２）上に凹（３）を設け、その底にセンター線（２）に沿って線（４）を引いたゴルフのパターに関するものである。
【背景技術】
【０００２】従来ゴルフのパターで、目標ラインに対して目の位置が垂直であるか否かを確認する術を持ったものがありませんでした。【０００３】そのために、プレーヤ達は曖昧な感覚で利用しているのが現実です。
【発明の開示】
【発明が解決しようとする課題】
【０００４】解決しようとする問題点は、ゴルフのパター表面（１）にスイートスポットのセンター線（２）上に段差のための凹（３）を設け、その底に線（４）を引き、真上から見た時、センター線（２）が一直線に見えるようにする。
【課題を解決するための手段】
【０００５】本発明はゴルフのパター表面（１）に、スイートスポットのセンター線（２）上に凹（３）を設けその底にセンター線（２）に沿って線（４）を引く。
【発明の効果】
【０００６】本発明はパッティングの時、目標ラインにセンター線（２）を合わせ、ゴルフのパターを真上から見た時、センター線（２）が一直線に見える時の目の位置が垂直である。従ってゴルフボールを正確に目標ラインに打ち出せる。そのためカップインの確率が高まる。
【発明を実施するための最良の形態】
【０００７】本発明を利用する時は、パッティングの時、目標ラインにセンター線（２）を合わせゴフフのパター真上から見て、センター線（２）と凹（３）の底の線（４）が一直線になる位置で利用する。
【実施例１】
【０００８】ゴルフのパター表面（１）に、スイートスポットのセンター線（２）上に凹（３）を設けその底にセンター線（２）に沿って線（４）を引く。また、凹（３）の形には拘らない。
【図面の簡単な説明】
【０００９】
【図１】ゴルフのパター斜視図である。
【図２】平面図である。
【符号の説明】
【００１０】  表面（１）
センター線（２）
凹（３）
線（４）
【図１】
2006247320.tif 000003
【図２】
2006247320.tif 000004
(57)【要約】【課題】  市販のキッチンタオルロールは、手で切断するためのミシン孔ラインが幅方向のみに開けられていて、長手方向には開けられていないので、ロール幅の一部を簡単に狭幅に切り裂いて使用することは困難である。【解決手段】長手方向にもミシン孔を開け、その部分を切り裂くことにより、タオルロールの幅方向の半分ないし１部を容易に使用することが出来るようにした。【選択図】図１
2006247311.tif 000002
【特許請求の範囲】
【請求項１】
幅方向に加え、長手方向にミシン孔（手裂き用切り込み孔）ラインが入ったキッチンタオルロール。
【発明の詳細な説明】
【技術分野】
【０００１】  本発明は、手で小片に切り裂いて使用することが可能な、キッチンタオルロールに関するものである。
【背景技術】
【０００２】  従来のキッチンタオルロールは、ミシン孔（手裂き用切り込み孔）ラインが周期的に幅方向のみに刻み込まれている。またその周期は切断したタオルがほぼ正方形になるように、タオルの幅とほぼ同じものが多い。
【発明の開示】
【発明が解決しようとする課題】
【０００３】  このようなキッチンタオルロールは、切り裂いて大型のプレートに乗せたり、広口の容器をカバーしたりする時には適しているが、小皿に乗せたり、口の小さな容器をカバーする時には不向きである。敢えてタオルを手で小さく切り裂こうとすると、形がいびつになるのみならず、切断時に紙埃が飛散したりする。【０００４】  本発明は、上記欠点を排除し、キッチンタオルの小片が容易に手で切り取れるようにしたものである。
【課題を解決するための手段】
【０００５】  本発明では、目的を具体化させるために、キッチンタオルロールに対し、ミシン孔ラインを、従来の幅方向のみならず、長手方向にも付加させた。この長手方向の孔を利用して、タオルを長手方向に切り裂くことにより、幅の狭いタオルとして使用することが出来る。
【発明の効果】
【０００６】  このように、キッチンタオルロールの長手方向にミシン孔ラインを付加しておくと、タオルロール幅の半分または一部のみを使用することが可能で、節約にもなる。また全体を折り畳んで、２重にして用いる時も、ミシン孔ラインがあると、折りたたみが容易である。また、これに加え、幅方向のミシン孔ライン間のピッチを狭くしておくと、タオルは一層小さく切り裂いて、使用することが出来る。タオルが小片に切り取れると、小物のカバーのみならず、小さな汚れを拭き取るときにも便利である。
【発明を実施するための最良の形態】
【０００７】  以下、本発明の実施の形態を、図１〜図５の実施例を用いて説明する。【０００８】  図３は従来のキッチンタオルロールの例である。図において１−ｂはタオルロール、２−ｂは幅方向に走るミシン孔ラインである。【０００９】  図４はこのタオルロールの１部を切り取るためにミシン孔ライン２−ｂに沿って切り裂いていく状態を示す。このキッチンタオルロールからは、幅方向の１部を狭く切り取ることは難しい。【００１０】  図２は本発明による、キッチンタオルロールの例である。図において１−ａはタオルロール、２−ｂは幅方向に走るミシン孔ライン、２−ａは長手方向に走る本発明により付加されたミシン孔ラインである。なお幅方向のミシン孔ライン間のピッチはここでは従来の半分になっている。【００１１】  図１は、図２のタオルロールから小片を切り取る状態を示す。手で、長手方向に走るミシン孔ライン２−ａに沿ってタオルを切り裂いた後に、横方向のミシン孔ライン２−ｂに沿って切り裂くと、タオル小片が得られる。【００１２】  図５は別の実施例で、長手方向のミシン孔ライン本数を増やし、同時に幅方向のミシン孔ライン間のピッチも狭くしたものである。このように、縦横のミシン孔ラインを増やし、碁盤の目のようにしておくと、さらに小さな紙タオル片または短冊が得られ、小物の拭き取り・鍋の油の吸い取りなどにも便利である。
【図面の簡単な説明】
【００１３】
【図１】本発明によるキッチンタオルロールから小片を切り取るために、ロールを長手方向に走るミシン孔ラインに沿って切り裂いた後に、横方向のミシン孔ラインに沿って切り裂いていく状態を示す。
【図２】本発明による、キッチンタオルロールの例である。
【図３】従来のキッチンタオルロールの例である。
【図４】図３のタオルロールの１部を切り取るために、ミシン孔ラインに沿って切り裂いていく状態を示す。
【図５】縦横のミシン孔ライン本数を増やし、碁盤の目のようにした、本発明によるキッチンタオルロールの例である。
【符号の説明】
【００１４】    １ーａ  本発明によるキッチンタオルロール。
１−ｂ  従来のキッチンタオルロール。
２ーａ  長手方向に走るミシン孔ライン。
２−ｂ  幅方向に走るミシン孔ライン。
【図１】
2006247311.tif 000003
【図２】
2006247311.tif 000004
【図３】
2006247311.tif 000005
【図４】
2006247311.tif 000006
【図５】
2006247311.tif 000007